(57)【特許請求の範囲】
【請求項１】
投入される紙幣を識別する紙幣識別装置と投入された紙幣を立ち姿勢のまま重ねて貯えるスタッカー部を備えたスタッカー付き紙幣識別機であって、外部ケースに対してスタッカー部を摺動させて引き出し及び格納自在に設け、スタッカー部の引き出しに伴ってスタッカー部を摺動方向に対して回動させて開き、スタッカー部の格納に伴って開き姿勢のスタッカー部を摺動方向に沿う閉じ姿勢に変更させて格納をおこなう開閉手段を設けて成ることを特徴とするスタッカー付き紙幣識別機。
【請求項２】
開閉手段は、外部ケースとスタッカー部の一方に設けたスライドガイド溝と他方に設けてスライドガイド溝に挿入されるガイドピンとにより構成したスライドガイド手段と、スタッカー部の引き出し方向の終端部においてスライドガイド溝に一連に円弧溝を形成してスタッカー部をスイング回動させる回動ガイド手段を備えて成ることを特徴とする請求項１記載のスタッカー付き紙幣識別機。
【請求項３】
スタッカー部の開口部を前方に向けて成ることを特徴とする請求項１記載のスタッカー付き紙幣識別機。
【請求項４】
スタッカー部は重ねられた紙幣を保持することができる前半体と後半体とに分割し、後半体に対して前半体を紙幣を湾曲させる方向にスイング回動可能に構成して成ることを特徴とする請求項１記載のスタッカー付き紙幣識別機。
【請求項５】
スタッカー部は人手で引き出し及び格納可能に構成して成ることを特徴とする請求項１記載のスタッカー付き紙幣識別機。
【発明の詳細な説明】
【０００１】
【発明の属する技術分野】
本発明は、投入された紙幣を重ねて貯えるスタッカー部を備えたスタッカー付き紙幣識別機に関し、詳しくは、重ねた紙幣の取り出しを容易にしようとする技術に係るものである。
【０００２】
【従来の技術】
従来、紙幣識別装置とスタッカー部を備えたスタッカー付き紙幣識別機においては、例えば、パチンコやゲーム機等の遊技機間の台間機として使用されるものであり、幅約４０ｍｍの紙幣識別装置では紙幣の収納ができる充分な容量のスタッカー部を構成することができなく、したがって、スタッカー部に貯えられた紙幣の取り出し回数も多くなり、又、スタッカー部の開口部（紙幣取り出し口）が小さく紙幣を取り出しにくく、紙幣の収納枚数が多いとスタッカー部の開き動作に、一層、力を要して開きにくくなることが想定されていた。
【０００３】
ところで、スタッカー付き紙幣識別機を台間機とする場合に、台間機に搭載された特定部分を操作して台間機本体全体を手前に引き出し、台間機の側面を露出させるか、又は、台間機の隣り(対象台間機の右側)にあるゲーム機を開けて台間機の側面を露出させて操作するため、台間機の操作対象部分のみの露出は不可となっていた。そのため、遊技者が遊技中の場合、遊技の中断が必要であった。(一般的に台間機には紙幣識別装置、カードＲ／Ｗ、電源、玉搬送機、制御ボ−ドなどが設置されている)
そこで、幅約９０ｍｍの台間機に幅約８５ｍｍのスタッカー付き紙幣識別装置を設置する場合には、紙幣の回収は、台間機の前面扉を開け、紙幣識別装置のスタッカー部に手を入れ、紙幣を取り出しておこなうものであった。この場合、手が充分に入る幅(８５ｍｍ)を確保することができるため容易であるが、幅約４０ｍｍの台間機に厚み約３５ｍｍのスタッカー部付き紙幣識別装置を設定する場合は、容易に手が入るものではない。
【０００４】
【発明が解決しようとする課題】
本発明はこのような問題に鑑みてなされたものであり、スタッカー部において重ねて貯えた紙幣の回収を容易におこなうことができ、例えば、遊技機間の台間機としても有用なスタッカー付き紙幣識別機を提供することを課題とするものである。
【０００５】
【課題を解決するための手段】
請求項１においては、投入される紙幣を識別する紙幣識別装置１と投入された紙幣を立ち姿勢のまま重ねてて貯えるスタッカー部２を備えたスタッカー付き紙幣識別機であって、外部ケース３に対してスタッカー部２を摺動させて引き出し及び格納自在に設け、スタッカー部２の引き出しに伴ってスタッカー部２を摺動方向に対して回動させて開き、スタッカー部２の格納に伴って開き姿勢のスタッカー部２を摺動方向に沿う閉じ姿勢に変更させて格納をおこなう開閉手段４を設けてあることを特徴とするものである。このような構成によれば、外部ケース３に対してスタッカー部２を摺動させて引き出すのに伴って、開閉手段４によって、スタッカー部２を摺動方向に対して回動させて向きを変えて開くことができるのであり、摺動方向に対して向きを変えたスタッカー部２よりスタッカー部２に貯えられた紙幣を容易に取り出すことができる。
【０００６】
しかも、開閉手段４によって、スタッカー部２の向きの変更はスタッカー部２の引き出しに伴っておこなうことができるのであり、又、向きを変えたスタッカー部２を格納するのに伴ってスタッカー部２の向きを格納摺動方向に戻すのであり、スタッカー部２の向きを変えて紙幣イを容易に取り出すことができながら、スタッカー部２の出退の操作性を損なうことがない。
【０００７】
本発明を台間機に実施する場合には、狭い幅（約３２ｍｍ）に手を入れて回収する必要がなく、紙幣の回収を容易におこなうことができ、幅狭な箇所に手を突っ込むことによる怪我などの減少を図ることができ、かつ、遊技を中止することもないものである。
【０００８】
請求項２においては、開閉手段４は、外部ケース３とスタッカー部２の一方に設けたスライドガイド溝５と他方に設けてスライドガイド溝５に挿入されるガイドピン６とにより構成したスライドガイド手段７と、スタッカー部２の引き出し方向の終端部においてスライドガイド溝５に一連に円弧溝８を形成してスタッカー部２をスイング回動させる回動ガイド手段９を備えていることを特徴とするものである。このような構成によれば、スライドガイド溝５とガイドピン６とによるスライドガイド手段７において外部ケース３に対してスタッカー部２を摺動移動させながら、スライドガイド溝５の終端部の円弧溝８にガイドピン６を導入することでスタッカー部２を摺動方向に対してスイング回動させることができ、スタッカー部２の回動構成を簡素化することができる。
【０００９】
請求項４においては、スタッカー部２は重ねられた紙幣イを保持することができる前半体１１と後半体１２とに分割し、後半体１２に対して前半体１１を紙幣イを湾曲させる方向にスイング回動可能に構成してあることを特徴とするものである。このような構成によれば、後半体１２に対して前半体１１を回動することで、前半体１１の向きを変えて紙幣イを湾曲させて、一層、取り出しやすくすることができる。
【００１０】
この場合、スタッカー部２の開口部１０を前方に向けてあることが好ましく、又、スタッカー部２は人手で引き出し及び格納可能に構成することが好ましいものである。
【００１１】
【発明の実施の形態】
以下、本発明の実施の形態を説明する。図１はスタッカー部を引き出した状態の概略側断面図である。図３（ａ）（ｂ）（ｃ）は同上のスタッカー部の動作を示す概略断面図である。
【００１２】
スタッカー付き紙幣識別機Ａは、例えば、パチンコやパチスロ等の遊技機（図示せず）間に装着されるものであり、例えば、幅が約４０ｍｍ程度のボックス型のものであり、例えば、幅が約３５ｍｍのスタッカー部２を備えた紙幣識別装置１を搭載している。このようなスタッカー付き紙幣識別機Ａにおいては、遊技者が遊技を中断することなくスタッカー部２の紙幣を容易に回収することができるようにしている。以下、詳述する。
【００１３】
前方が開放された外部ケース３に対してスタッカー部２を備えた移動体１３を摺動移動自在に挿入している。外部ケース３の前方開口部の近くの上下面には前ストッパー１４、１４を取付け、移動体１３の後端部の上下面には当たり１５、１５を取付け、当たり１５が前ストッパー１４に当接することで、スタッカー部２を備えた移動体１３の引き出し位置を位置決めしている。又、外部ケース３の後端部の上下面には後ストッパー１６、１６を設けていて当たり１５が後ストッパー１６に当接することで、移動体１３の格納位置を位置決めしている。
【００１４】
外部ケース３の上下面には板材１７、１７がビスにて取付けられ、板材１７の後端部を折り返して後ストッパー１６を形成している。下面側の板材１７には直線状のスライドガイド溝５が形成されている。移動体１３の下部にはガイドピン６を垂下してガイドピン６をスライドガイド溝５に挿入して移動体１３を外部ケース３に対して直線的に摺動移動させるようにしている。必要ならば、上の板材１７にスライドガイド溝５を、移動体１３の上面にガイドピン６を形成することで、移動体１３の移動を、一層、安定化させるようにしてもよい。
【００１５】
移動体１３には開口部１０を前方に向けて移動体１３の投入口２５に対向させてスタッカー部２を設けてあり、スタッカー部２には紙幣保持片１８が形成され、立ち姿勢の紙幣イが投入されて重ねられた紙幣イ…を保持することができるようにしている。
【００１６】
スタッカー部２は前半体１１と後半体１２とに分割され、後半体１２に対して前半体１１をピン１９にて回動自在に枢支連結している。前半体１１は縦長の連結板２４が取付けられ、連結板２４の上下には回動板２７、２７が取付けられ、下の回動板２７には上記ガイドピン６が取付けられている。連結板２４には指挿入口２６を形成している。スライドガイド溝５の前端部に一連に円弧溝８を形成している。
【００１７】
移動体１３の前部下端部には錠２０を設けてあり、鍵（図示せず）を挿入して例えば、回転してロック片２１をロック受け２２より外すことで、移動体１３の引き出しがおこなえるようにしている。符号２３はフレキシブルプリント基板であり、各種信号を伝達する。
【００１８】
このような構成によれば、スライドガイド溝５とガイドピン６とによるスライドガイド手段７において外部ケース３に対してスタッカー部２とともに移動体１３を摺動移動させて引き出すのであり、スライドガイド溝５に続く円弧溝８にガイドピン６が導入されることで、図３（ｃ）、図４及び図５に示すように、スタッカー部２の前半体１１を後半体１２に対してピン１９の回りに回動させ、前半体１１を摺動方向に対してスイング回動させるのである。
【００１９】
このように、スタッカー部２の引き出しに伴ってスタッカー部２の前半体１１を摺動方向に対してスイング回動させて開き、スタッカー部２の格納に伴って開き姿勢のスタッカー部２の前半体１１を摺動方向に沿う閉じ姿勢に変更させて格納をおこなう構成を開閉手段４と総称する。又、スライドガイド溝５とスライドガイド溝５に挿入されるガイドピン６とにより移動体１３を直線的にガイド移動させる構成をスライドガイド手段７と総称する。更に、スタッカー部２の引き出し方向の終端部においてスライドガイド溝５に一連に円弧溝８を形成してスタッカー部２の前半体１１をスイング回動させる構成を回動ガイド手段９と総称する。このような開閉手段４、スライドガイド手段７及び回動ガイド手段９の構成は種々設計変更可能である。又、スタッカー部２を前半体１１と後半体１２とに分け、ピン１９にて前半体１１を回動させてスタッカー部２を開くように構成したが、スタッカー部２の構成及びスタッカー部２を開く構成は変更することができる。
【００２０】
このような構成によれば、外部ケース３に対してスタッカー部２を摺動させて引き出すのに伴って、開閉手段４によって、スタッカー部２を摺動方向に対してスイング回動させて横向きにして開くことができるのであり、摺動方向に対して向きを変えたスタッカー部２よりスタッカー部２に貯えられた紙幣イを容易に取り出すことができるのである。この場合、指を指挿入口２６及び紙幣保持片１８、１８間に入れることで、紙幣イの取出しを、一層、容易におこなうことができるものである。
【００２１】
しかも、開閉手段４によって、スタッカー部２の開きはスタッカー部２の引き出しに伴っておこなうことができるのであり、又、向きを変えたスタッカー部２を格納するのに伴ってスタッカー部２の向きを格納摺動方向に戻すのであり、スタッカー部２の向きを変えて紙幣イを容易に取り出すことができながら、スタッカー部２の出退の操作性を損なうことがないものである。
【００２２】
しかして、本発明のスタッカー付き紙幣識別機Ａを台間機に実施する場合には、狭い幅（約３２ｍｍ）に手を入れて回収する必要がなく、紙幣イの回収を容易におこなうことができ、幅狭な箇所に手を突っ込むことによる怪我などの減少を図ることができ、かつ、遊技を中止することもないものである。
【００２３】
更に、スライドガイド溝５とガイドピン６とによるスライドガイド手段７において外部ケース３に対してスタッカー部２を摺動移動させながら、スライドガイド溝５の終端部に円弧溝８を形成することから、円弧溝８にガイドピン６を導入することでスタッカー部２の前半体１１を摺動方向に対してスイング回動させることができ、スタッカー部２の回動構成を簡素化することができるものである。
【００２４】
しかも、スタッカー部２においては、後半体１２に対して前半体１１を回動することで、前半体１１の向きを変えて紙幣イを湾曲させて、一層、取り出しやすくすることができるのである。
【００２５】
ところで、スタッカー部２は人手で引き出し及び格納可能に構成することが好ましいが、駆動手段にて駆動移動させてもよいものである。
【００２６】
又、実施の形態においては、スタッカー部２を摺動方向に対してスイング回動させて開くようにしたが、スタッカー部２の開き方向は変更することができる。
【００２７】
【発明の効果】
請求項１においては、投入される紙幣を識別する紙幣識別装置と投入された紙幣を立ち姿勢のまま重ねてて貯えるスタッカー部を備えたスタッカー付き紙幣識別機であって、外部ケースに対してスタッカー部を摺動させて引き出し及び格納自在に設け、スタッカー部の引き出しに伴ってスタッカー部を摺動方向に対してスイング回動させて開き、スタッカー部の格納に伴って開き姿勢のスタッカー部を摺動方向に沿う閉じ姿勢に変更させて格納をおこなう開閉手段を設けてあるから、外部ケースに対してスタッカー部を摺動させて引き出すのに伴って、開閉手段によって、スタッカー部を摺動方向に対して回動させて向きを変えて開くことができるのであり、摺動方向に対して向きを変えたスタッカー部よりスタッカー部に貯えられた紙幣を容易に取り出すことができるという利点がある。
【００２８】
しかも、開閉手段によって、スタッカー部の向きの変更はスタッカー部の引き出しに伴っておこなうことができるのであり、又、向きを変えたスタッカー部を格納するのに伴ってスタッカー部の向きを格納摺動方向に戻すのであり、スタッカー部の向きを変えて紙幣を容易に取り出すことができながら、スタッカー部の出退の操作性を損なうことがないものである。
【００２９】
請求項２においては、請求項１の構成に加えて、開閉手段は、外部ケースとスタッカー部の一方に設けたスライドガイド溝と他方に設けてスライドガイド溝に挿入されるガイドピンとにより構成したスライドガイド手段と、スタッカー部の引き出し方向の終端部においてスライドガイド溝に一連に円弧溝を形成してスタッカー部をスイング回動させる回動ガイド手段を備えているから、請求項１の効果に加えて、スライドガイド溝とガイドピンとによるスライドガイド手段において外部ケースに対してスタッカー部を摺動移動させながら、スライドガイド溝の終端部に円弧溝を形成することから、円弧溝にガイドピンを導入することでスタッカー部を摺動方向に対してスイング回動させることができ、スタッカー部の回動構成を簡素化することができるという利点がある。
【００３０】
請求項４においては、請求項１の構成に加えて、スタッカー部は重ねられた紙幣を保持することができる前半体と後半体とに分割し、後半体に対して前半体を紙幣を湾曲させる方向にスイング回動可能に構成してあるから、請求項１の効果に加えて、後半体に対して前半体を回動することで、前半体の向きを変えて紙幣を湾曲させて、一層、取り出しやすくすることができるという利点がある。
【図面の簡単な説明】
【図１】本発明の実施の一形態を示し、スタッカー部を引き出した状態の概略側断面図である。
【図２】（ａ）は同上のスタッカー部を格納した概略側断面図、（ｂ）は正面図、（ｃ）は背面図である。
【図３】（ａ）（ｂ）（ｃ）は同上のスタッカー部の動作を示し、底面側から見た概略断面図である。
【図４】（ａ）は同上の紙幣を湾曲させる作用を示す説明図、（ｂ）は紙幣を支持する状態を示す概略断面図である。
【図５】同上の概略斜視図である。
【符号の説明】
１    紙幣識別装置
２    スタッカー部
３    外部ケース
４    開閉手段
５    スライドガイド溝
６    ガイドピン
７    スライドガイド手段
８    円弧溝
９    回動ガイド手段
１０  開口部
１１  前半体
１２  後半体
【図１】
0004200260.tif 000002
【図２】
0004200260.tif 000003
【図３】
0004200260.tif 000004
【図４】
0004200260.tif 000005
【図５】
0004200260.tif 000006